(57)【要約】【課題】蓋体の装着性が良好なプロテクタを提供する。【解決手段】プロテクタ１１は、互いに組み合わされて電線を収納可能な本体１５および蓋体１７と、電線を挟み対峙する本体１５の本体第１側部１９および本体第２側部２１と、電線に沿う蓋体１７の蓋体第１縁部４１および蓋体第２縁部４３と、本体第１側部１９および蓋体第１縁部４１の長手方向に沿って間隔をあけて複数設けられ相互に係合する第１ロック部４７と、隣接する第１ロック部４７の間部分と対向配置されて本体第２側部２１および蓋体第２縁部４３の長手方向に沿って第１ロック部４７と互い違いに複数設けられ相互に係合する第２ロック部４９と、を備える。【選択図】図１
2014023215.tif 000002
【特許請求の範囲】
【請求項１】
互いに組み合わされて電線を収納可能な長尺状の筒体を形成する本体および蓋体と、
前記電線を挟み対峙する前記本体の本体第１側部および本体第２側部と、
前記電線に沿う前記蓋体の蓋体第１縁部および蓋体第２縁部と、
前記本体第１側部および前記蓋体第１縁部の長手方向に沿って間隔をあけて複数設けられ相互に係合する第１ロック部と、
隣接する前記第１ロック部の間部分と対向配置されて前記本体第２側部および前記蓋体第２縁部の長手方向に沿って複数設けられ相互に係合する第２ロック部と、
を備えることを特徴とするプロテクタ。
【請求項２】
前記第１ロック部および前記第２ロック部が、前記本体第１側部および前記本体第２側部のそれぞれに設けられる枠状の受け部と、前記蓋体第１縁部および前記蓋体第２縁部のそれぞれに設けられ前記受け部に挿入係合される係合片とを有し、
前記受け部が前記本体第１側部および前記本体第２側部の内側面に設けられることを特徴とする請求項１に記載のプロテクタ。
【請求項３】
前記受け部が、前記本体に収容される前記電線に当接する突出長を有して前記内側面に突設されていることを特徴とする請求項２に記載のプロテクタ。
【発明の詳細な説明】
【技術分野】
【０００１】
本発明は、本体および蓋体を互いに組み合わせて電線を収納可能な筒体を形成するプロテクタに関する。
【背景技術】
【０００２】
互いに組み合わせられることにより電線を収納可能な筒体であるプロテクタとして、例えば特許文献１に開示されるプロテクタが知られている。図７に示すように、プロテクタ５０５は、本体５０１と蓋部５０３とを互いに組み合わせて形成される筒体であり、内部に電線束５０７を収納し、本体５０１と蓋部５０３とをロック部５０９により固定する。このとき、本体５０１および蓋部５０３の長手方向に沿って所定間隔で配置されているロック部５０９のうち、少なくとも二箇所にガタ防止手段５１１を有するガタ防止ロック部５１３が配置されているので、簡易な構造によりロック部５０９のガタ付きを防止してプロテクタ５０５の捩れを防止できる。
【０００３】
また、特許文献２に開示されるプロテクタ５１５は、図８に示すように、プロテクタ本体５１７に、その幅方向の前後両側壁５１９に長さ方向に沿って間隔をあけてロック爪係止枠５２１が突設されている。一方、蓋５２３の前後幅方向の両端にも長さ方向に沿って間隔をあけて、ロック爪係止枠５２１に挿入係止されるロック爪５２５を設けたロック片５２７が下向きに突設される。蓋５２３の前後幅方向のいずれか一端からは、車体固定用ブラケット５２９が突設される。プロテクタ本体５１７のロック爪係止枠５２１と蓋５２３のロック片５２７とは、前後方向の同一側では同一の間隔をあけて配置されている。一方、ロック爪係止枠５２１と蓋５２３のロック片５２７とは、前後方向では互いに間隔を相違させ、蓋５２３の幅方向を誤ってプロテクタ本体５１７に組みつけるとロック結合不可とし、蓋５２３の車体固定用ブラケット５２９が正規方向に配置される構成としている。
【先行技術文献】
【特許文献】
【０００４】
【特許文献１】特開２００５−１６０２２２号公報
【特許文献２】特開２００６−７４８４５号公報
【発明の概要】
【発明が解決しようとする課題】
【０００５】
しかしながら、上述した従来のプロテクタ５０５およびプロテクタ５１５は、ロック部５０９や、ロック爪係止枠５２１およびロック爪５２５が、長手方向の両側で略同じ位置に対向配置される。このため、ロック部５０９や、ロック爪係止枠５２１およびロック爪５２５を、両側でほぼ同時に係合しなければならず、ロックに要する力が大きくなり、特に、プロテクタが長尺の場合には、蓋体の装着性が低下した。
【０００６】
本発明は上記状況に鑑みてなされたもので、その目的は、蓋体の装着性が良好なプロテクタを提供することにある。
【課題を解決するための手段】
【０００７】
本発明に係る上記目的は、下記構成により達成される。
（１）  互いに組み合わされて電線を収納可能な長尺状の筒体を形成する本体および蓋体と、前記電線を挟み対峙する前記本体の本体第１側部および本体第２側部と、前記電線に沿う前記蓋体の蓋体第１縁部および蓋体第２縁部と、前記本体第１側部および前記蓋体第１縁部の長手方向に沿って間隔をあけて複数設けられ相互に係合する第１ロック部と、隣接する前記第１ロック部の間部分と対向配置されて前記本体第２側部および前記蓋体第２縁部の長手方向に沿って複数設けられ相互に係合する第２ロック部と、を備えることを特徴とするプロテクタ。
【０００８】
上記（１）の構成のプロテクタによれば、第１ロック部と第２ロック部とが互いに本体幅方向に対向配置されておらず、隣接する第１ロック部と第２ロック部との距離が、互いに本体幅方向に対向配置された最短距離の場合に比べ長くなる。そこで、本体に蓋体を合わせて本体第１側部および本体第２側部に係合する際、第１ロック部と第２ロック部とを交互に嵌める際の隣接する第１ロック部と第２ロック部との間隔が広くなり、蓋体をロック時に撓み易くすることができるので、蓋体を本体にロックする力が小さくて済む。これに対し、第１ロック部と第２ロック部とが互いに本体幅方向に対向配置された最短距離の場合、隣接する第１ロック部と第２ロック部との間隔が狭く、蓋体がロック時に撓み難くなる。そのため、一方のロック部を嵌めた後に他方のロック部を嵌めようとしても、他方のロック部が嵌め難くなる。また、互いに本体幅方向に対向配置されている第１ロック部と第２ロック部とを同時に嵌めようとすると、蓋体を本体にロックする力が大きくなってしまう。
また、同一長さのプロテクタに同一数の第１ロック部と第２ロック部とが設けられる場合において、本構成のように、第１ロック部と第２ロック部とが本体幅方向に対向配置されておらずに長手方向に沿ってずれて設けられることで、ロック部が互いに本体幅方向に対向配置されて長手方向にずれていない構成に比べ、蓋体の固定されていない距離（プロテクタの長手方向に沿った各ロック部の間隔）が短くなる。これにより、筒体のプロテクタが変形させられた場合の蓋体の変形抑止作用が高まる。
【０００９】
（２）  上記（１）の構成のプロテクタであって、前記第１ロック部および前記第２ロック部が、前記本体第１側部および前記本体第２側部のそれぞれに設けられる枠状の受け部と、前記蓋体第１縁部および前記蓋体第２縁部のそれぞれに設けられ前記受け部に挿入係合される係合片とを有し、前記受け部が前記本体第１側部および前記本体第２側部の内側面に設けられることを特徴とするプロテクタ。
【００１０】
上記（２）の構成のプロテクタによれば、第１ロック部および第２ロック部が、筒体のプロテクタ外表面から突出されないので、車体等への取り付け時、他部材が引っ掛かる等の干渉を生じなくすることができ、取り付け性を高めることができる。また、第１ロック部および第２ロック部が、筒体のプロテクタ外表面から突出されないので、取り付け後に外部力が作用することによる第１ロック部および第２ロック部の損傷等を生じにくくできる。
なお、受け部が本体第１側部および本体第２側部の内側面に設けられても、第１ロック部と第２ロック部とが本体幅方向に対向配置されずに長手方向にずれて設けられているので、本体に収納される電線が各受け部を避けるように蛇行した状態で収納されることで、本体の幅寸法が大きくなることを抑制できる。これに対し、本体第１側部および本体第２側部の内側面に本体幅方向に対向して第１ロック部と第２ロック部とが設けられた場合は、第１ロック部と第２ロック部との間隔を収納される電線の太さに設定しなければならず、本体の幅寸法が大きくなってしまう。
【００１１】
（３）  上記（２）の構成のプロテクタであって、前記受け部が、前記本体に収容される前記電線に当接する突出長を有して前記内側面に突設されていることを特徴とするプロテクタ。
【００１２】
上記（３）の構成のプロテクタによれば、本体に収容された電線が、内側面から突出する受け部に当接され、電線が本体内でがたつかなくなる。即ち、受け部が電線のがた防止突起として兼用される。また、電線は、長手方向の複数箇所で受け部に当接されるので、長手方向への移動が規制され、本体内面との擦れが防止される。
なお、受け部が電線に当接して本体第１側部および本体第２側部が外側方に押し広げられても、第１ロック部と第２ロック部とが本体幅方向に対向配置されずに長手方向にずれて設けられているので、蓋体を本体にロックする際への影響を小さくすることができる。これに対し、本体第１側部および本体第２側部の内側面に本体幅方向に対向して第１ロック部と第２ロック部とが設けられた場合は、本体幅方向に対向した位置にある本体第１側部と本体第２側部とが電線に当接した受け部によってそれぞれ押し広げられ、蓋体が本体にロックし難くなってしまう。
【発明の効果】
【００１３】
本発明に係るプロテクタによれば、蓋体の装着性を良好にすることができる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係るプロテクタの分解斜視図である。
【図２】図１に示したプロテクタの本体の平面図である。
【図３】図１に示したプロテクタの蓋体の平面図である。
【図４】図２に示した本体を同図の右上方から見た斜視図である。
【図５】図３に示した蓋体を同図の右上方から見た斜視図である。
【図６】図４のＶＩ−ＶＩ断面矢視図である。
【図７】従来のプロテクタの分解斜視図である。
【図８】従来の他のプロテクタの分解斜視図である。
【発明を実施するための形態】
【００１６】
以下、本発明に係る実施形態を図面を参照して説明する。
図１乃至図６に示すように、本実施形態に係るプロテクタ１１は、互いに組み合わされて電線１３（図６参照）を収納可能な長尺状の筒体を形成する本体１５および蓋体１７を有する。本体１５は、電線１３を挟み対峙する本体第１側部１９および本体第２側部２１を有する。本体第１側部１９および本体第２側部２１は、電線１３に沿って配設される長尺の底板部２３（図２参照）の長手方向に沿う両側から起立する。つまり、本体１５は、長手方向に直交する断面形状が、上方の開放されたＵ字形状とされている。この上方の開放部分は、本体内方の電線収容空間２５を開放する本体開口部２７となる（図２参照）。
【００１７】
本実施形態のプロテクタ１１において、本体１５には２本の電線１３が収容される。そこで、底板部２３には、本体第１側部１９と本体第２側部２１との中間部に隔壁部２９が起立して設けられ、隔壁部２９は電線収容空間２５を長手方向に沿って二分割している。
【００１８】
本体１５は、直線状に形成されてもよく、本実施形態のように湾曲して形成されてもよい。図２に示すように、本体１５の長手方向一端側（図２中、右端側）には、一端側電線導出入部３１が形成され、本体１５の長手方向他端側（図２中、左端側）には、他端側電線導出入部３３が形成されている。本体１５には、一端側電線導出入部３１の外側に、車体固定用係止突起３５が付設されている。また、本体１５の他端側電線導出入部側の本体第２側部２１には、車体固定用係止孔３７が形成される車体固定用ブラケット部３９が形成されている。
【００１９】
図３に示すように、蓋体１７は、本体１５の平面視の形状、即ち、本体開口部２７に倣った形状に形成される。蓋体１７は、電線１３に沿う両側が、蓋体第１縁部４１および蓋体第２縁部４３となる。本実施形態において、この蓋体第１縁部４１および蓋体第２縁部４３は、本体１５に向かって湾曲して曲げられたＲ曲げ部４５として形成される。このＲ曲げ部４５は、本体１５の本体第１側部１９および本体第２側部２１の外側に被せられる。
【００２０】
本実施形態の本体１５および蓋体１７は、本体第１側部１９および蓋体第１縁部４１の長手方向に沿って間隔をあけて複数設けられ相互に係合する第１ロック部４７と、隣接する第１ロック部４７の間と対向配置されて本体第２側部２１および蓋体第２縁部４３の長手方向に沿って複数設けられ相互に係合する第２ロック部４９と、を備える。ここで、本実施形態におけるプロテクタ１１は、部分的に第１ロック部４７同士と第２ロック部４９同士のピッチが異なったり、部分的に交互に配置されていなかったりしている。即ち、隣接する第１ロック部４７の間部分と対向配置される第２ロック部４９は、第１ロック部４７のピッチに対して１／２ピッチ分ずれて、且つ必ず交互に配置されていなければならないというものではなく、車体等の取り付け部に対するプロテクタ１１のレイアウト等に応じて、部分的に第１ロック部４７同士と第２ロック部４９同士のピッチが異なったり、部分的に交互に配置されていなかったりしてもよい。勿論、第１ロック部４７同士と第２ロック部４９同士のピッチが同一で、且つ第１ロック部４７と第２ロック部４９とが、プロテクタ１１の長手方向に沿って１／２ピッチ分ずれて交互に配置されていてもよいことは云うまでもない。
【００２１】
第１ロック部４７および第２ロック部４９は、本体第１側部１９および本体第２側部２１のそれぞれに設けられる枠状の受け部５１と、蓋体第１縁部４１および蓋体第２縁部４３のそれぞれに設けられ受け部５１に挿入係合される係合片５３とを有する。受け部５１は、本体第１側部１９および本体第２側部２１の内側面５５（図１及び図２参照）に設けられている。
【００２２】
受け部５１は、例えば図２及び図４に示すように、本体第１側部１９および本体第２側部２１の内側面５５に、枠状の側部が突出されている。この枠状の受け部５１の上面は、矩形の係合片挿入開口部５７となって開口している。受け部５１は、本体第１側部１９および本体第２側部２１の一部分が切欠部５９となって切り欠かれることで、係合片挿入開口部５７が外方に開放されている。受け部５１は、内側面が底板部２３に連続して形成される。従って、電線収容空間２５は、受け部５１を介して外方へは開放されていない。受け部５１は、切欠部５９の上方が係合梁部６１となる。
【００２３】
枠状の側部が内側面５５から突出する受け部５１は、本体１５の電線収容空間２５に収容される電線１３に当接する突出長ｄ（図６参照）を有して内側面５５に突設されている。本実施形態では、受け部５１と隔壁部２９との間隔が、電線１３の直径と同一か、それよりも若干小さく設定されている。
【００２４】
本実施形態では、本体１５の底板部２３に隔壁部２９が設けられ、長手方向に二分割された電線収容空間２５のそれぞれに、合計２本の電線１３が収容されるが、本発明に係るプロテクタ１１は、隔壁部２９が設けられず、１本の電線１３が収容されるものであってもよい。また、電線１３は、複数の電線を束状に纏めた一つの電線束であってもよい。
【００２５】
蓋体第１縁部４１および蓋体第２縁部４３のそれぞれに設けられる係合片５３は、Ｒ曲げ部４５を切り欠いた凹部６３（図３参照）から本体１５に向かって突出される。すなわち、凹部６３の底辺部から矩形板状となって突出される。この係合片５３の外面には係合爪６５（図３参照）が突設され、係合爪６５は係合片挿入開口部５７に係合片５３が挿入されることで、係合梁部６１（図４参照）に係合して、係合片５３を受け部５１に抜け止めする。
【００２６】
なお、プロテクタ１１の一端側電線導出入部３１には、第１ロック部４７および第２ロック部４９とは異なる対称ロック部７１（図１参照）が設けられている。対称ロック部７１は、対峙する本体第１側部１９および本体第２側部２１の長手方向の同一位置に本体幅方向に対向配置された枠状の受け部６７と、蓋体第１縁部４１および蓋体第２縁部４３のそれぞれに設けられ受け部６７に挿入係合される係合片６９とを有する。これにより、プロテクタ１１の一端側電線導出入部３１においては、本体１５と蓋体１７とを両側部で確実に固定でき、片側が非固定となることによる容易な外れが防止されている。
【００２７】
次に、上記構成を有するプロテクタ１１の作用を説明する。
本実施形態に係るプロテクタ１１では、第１ロック部４７と第２ロック部４９とが互いに本体幅方向に対向配置されておらず、隣接する第１ロック部４７と第２ロック部４９との距離Ｙが、互いに本体幅方向に対向配置された最短距離Ｘの場合に比べ長くなる（図２参照）。そこで、本体１５に長手方向の一端側から蓋体１７を合わせて本体第１側部１９および本体第２側部２１に係合する際、第１ロック部４７と第２ロック部４９とを交互に一つずつ順番に嵌める際の隣接する第１ロック部４７と第２ロック部４９との間隔が広くなり、蓋体１７をロック時に撓み易くすることができるので、蓋体１７を本体１５にロックする力が小さくて済む。これに対し、例えば対称ロック部７１のように互いに本体幅方向に対向配置された最短距離Ｘの場合、隣接する対称ロック部７１の間隔が狭く、蓋体１７がロック時に撓み難くなる。そのため、一方のロック部を嵌めた後に他方のロック部を嵌めようとしても、他方のロック部が嵌め難くなる。また、互いに本体幅方向に対向配置されているロック部を同時に嵌めようとすると、蓋体１７を本体１５にロックする力が大きくなってしまう。なお、本実施形態おける対称ロック部７１は、プロテクタ１１の一端側電線導出入部３１に設けられているので、プロテクタ１１の中間部に設けられた場合に比べて蓋体１７がロック時に撓み易くなっている。
また、同一長さのプロテクタ１１に同一数の第１ロック部４７と第２ロック部４９とが設けられる場合において、本構成のように、第１ロック部４７と第２ロック部４９とが本体幅方向に対向配置されておらず交互に長手方向に沿ってずれて設けられることで、ロック部が互いに本体幅方向に対向配置されて長手方向にずれていない従来の構成に比べ、蓋体１７の固定されていない距離（プロテクタ１１の長手方向に沿った各ロック部４７，４９の間隔）が短くなる。これにより、筒体のプロテクタ１１が変形させられた場合の蓋体１７の変形抑止作用が高まる。
従って、本実施形態に係るプロテクタ１１によれば、蓋体１７の装着性を良好にすることができる。
【００２８】
また、本実施形態に係るプロテクタ１１では、第１ロック部４７および第２ロック部４９の受け部５１が本体第１側部１９および本体第２側部２１の内側面に設けられているので、第１ロック部４７および第２ロック部４９が、筒体のプロテクタ外表面から突出されないので、車体等への取り付け時、他部材が引っ掛かる等の干渉を生じなくすることができ、取り付け性を高めることができる。また、第１ロック部４７および第２ロック部４９が、筒体のプロテクタ外表面から突出されないので、例えば車体取り付け後に路面からの飛び石等が衝突する外部力が作用することによる第１ロック部４７および第２ロック部４９の損傷等を生じにくくできる。
なお、受け部５１が本体第１側部１９および本体第２側部２１の内側面５５に設けられても、第１ロック部４７と第２ロック部４９とが本体幅方向に対向配置されずに長手方向にずれて設けられているので、本体１５に収納される電線１３が各受け部５１を避けるように蛇行した状態で収納されることで、本体１５の幅寸法が大きくなることを抑制できる。これに対し、本体第１側部１９および本体第２側部２１の内側面５５に本体幅方向に対向して第１ロック部４７と第２ロック部４９とが設けられた場合は、第１ロック部４７と第２ロック部４９との間隔を収納される電線１３の太さに設定しなければならず、本体１５の幅寸法が大きくなってしまう。
【００２９】
更に、本体１５に収容された電線１３が、内側面５５から突出する受け部５１に当接され、電線１３が本体１５内でがたつかなくなる。即ち、受け部５１が電線１３のがた防止突起として兼用され、簡素な構造で電線１３のがたつきが防止できる。また、電線１３は、長手方向の複数箇所で受け部５１に当接されるので、長手方向への移動が規制され、本体内面との擦れが防止される。
なお、受け部５１が電線１３に当接して本体第１側部１９および本体第２側部２１が外側方に押し広げられても、第１ロック部４７と第２ロック部４９とが本体幅方向に対向配置されずに長手方向にずれて設けられているので、蓋体１７を本体１５にロックする際への影響を小さくすることができる。これに対し、本体第１側部１９および本体第２側部２１の内側面５５に本体幅方向に対向して第１ロック部４７と第２ロック部４９とが設けられた場合は、本体幅方向に対向した位置にある本体第１側部１９と本体第２側部２１とが電線１３に当接した受け部５１によってそれぞれ押し広げられ、蓋体１７が本体１５にロックし難くなってしまう。
【００３０】
また、受け部５１は、内側面が底板部２３に連続して形成されるので、電線収容空間２５は、受け部５１を介して外方へは開放されていない。蓋体１７の凹部６３から侵入した水を係合片挿入開口部５７に導入し、切欠部５９を介して本体１５の外部へ排出することができる。これにより、電線収容空間２５へ水を入りにくくできる。
【００３１】
なお、本発明のプロテクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３２】
１１…プロテクタ
１３…電線
１５…本体
１７…蓋体
１９…本体第１側部
２１…本体第２側部
４１…蓋体第１縁部
４３…蓋体第２縁部
４７…第１ロック部
４９…第２ロック部
５１…受け部
５３…係合片
５５…内側面
ｄ…突出長
【図１】
2014023215.tif 000003
【図２】
2014023215.tif 000004
【図３】
2014023215.tif 000005
【図４】
2014023215.tif 000006
【図５】
2014023215.tif 000007
【図６】
2014023215.tif 000008
【図７】
2014023215.tif 000009
【図８】
2014023215.tif 000010